(57)【要約】【課題】  はね返されたボールが、パットの姿勢を保った位置に正確に戻るゴルフのパット練習器を提供すること。【解決手段】  パット練習器であって、一定の間隔を保った一対の支持部材と、この一対の支持部材に掛け渡された断面円形のコイルバネ７を備えている。このコイルバネ７は、転がり面ＧにあるボールＢの中心Ｂｓに対して、上記コイルバネ７の軸中心が、上記ボールＢの半径よりも高く、直径よりも低い範囲であって、上記ボールＢが上記コイルバネ７を通り抜けない高さに設定されている。【選択図】  図１
2017131268.tif 000002
【特許請求の範囲】
【請求項１】
一定の間隔を保った一対の支持部材と、この一対の支持部材に掛け渡された断面円形のコイルバネと、転がり面にあるボールの中心に対して、上記コイルバネの軸中心が、上記ボールの半径よりも高く、直径よりも低い範囲であって、上記ボールが上記コイルバネを通り抜けない高さに設定されたパット練習器。
【請求項２】
上記ボールがコイルバネに到達する過程で通り抜ける一対のゲート部を設けるとともに、これらゲート部の間隔が、ゴルフのグリーン上に設けられるカップの直径と等しくした請求項１に記載されたパット練習器。
【請求項３】
転がり面にある上記ボールに対して、上記コイルバネの軸中心が、上記ボールの直径の６０％〜８０％の高さの範囲内に設定された請求項１又は２に記載されたパット練習器。
【請求項４】
コイルバネの高さ位置が調整可能である請求項１〜３のいずれかに記載のパット練習器。
【発明の詳細な説明】
【技術分野】
【０００１】
この発明は、打ったボールが元の位置に戻るようにしたゴルフのパット練習器に関する。
【背景技術】
【０００２】
この種のパット練習器として、特許文献１に記載されたものが従来から知られている。この従来のパット練習器は、ゴルフのカップの直径と等しい２点間にゴムバンドを掛け渡し、打ったボールがこのゴムバンドにあたって、打った元の位置に戻ってくるようにしている。
【先行技術文献】
【特許文献】
【０００３】
【特許文献１】特開２００２−０６５９２３号公報
【発明の概要】
【発明が解決しようとする課題】
【０００４】
上記のようにしたパット練習器において、もし、ボールの中心にゴムバンドの反発力が作用すると、ボールがはね返される際に、ボールの回転方向が定まらないという問題があった。
例えば、ボールの中心とゴムバンドの反発力が作用する部分とがぴったりと一致すると、ボールが反発された初期段階では、ボールは回転せずにその転がり面をすべるようにして移動する。そして、ボールを押し出す力が相対的に弱くなった段階で、ボールは、そのボールを押し出す力と転がり面の摩擦力とによって回転し始める。
【０００５】
しかしながら、ボールはその回転方向に応じて転がり方向が左右される。回転方向が不安定であれば、転がり方向も一定しなくなる。
ところが、上記のようにボールが反発された初期段階で、ボールが回転していない状態が発生すると、ボールの転がり面の条件等によって、戻り方向がまちまちになって安定しなくなる。もし、初期段階で戻り方向に誤差が生じれば、ボールを打った位置に対しては、より大きな誤差となってしまう。
【０００６】
そして、上記従来のパット練習器では、上記初期段階での戻り方向の誤差を最小にするための対策が取られていなかった。そのために、ゴムバンドの位置が少しでも狂えば、ボールが元の位置に戻らなくなるという問題があった。
この発明の目的は、はね返されたボールが、パットの姿勢を保った位置に正確に戻るゴルフのパット練習器を提供することである。
【課題を解決するための手段】
【０００７】
本願の第１の発明は、ゴルフのパット練習器であって、一定の間隔を保った一対の支持部材と、この一対の支持部材に掛け渡された断面円形のコイルバネとを備えている。そして、このコイルバネは、転がり面にあるボールの中心に対して、上記コイルバネの軸中心が、上記ボールの半径よりも高く、直径よりも低い範囲であって、上記ボールが上記コイルバネを通り抜けない高さに設定されている。
なお、上記ボールが上記コイルバネを通り抜けない高さとは、このボールがコイルバネに当たる強さや、コイルバネの弾性力によって決められる相対的なものである。
【０００８】
第２の発明は、上記ボールがコイルバネに到達する過程で通り抜ける一対のゲート部を設けるとともに、これらゲート部の間隔が、ゴルフのグリーン上に設けられるカップの直径と等しくしている。
【０００９】
第３の発明は、転がり面にある上記ボールに対して、上記コイルバネの軸中心が、転がり面にあるボールの直径の６０％〜８０％の高さの範囲内に設定されている。
第４の発明は、コイルバネの高さ位置が調整可能である。
【発明の効果】
【００１０】
第１の発明によれば、コイルバネの反発力がボールの中心よりも上に作用するので、上記初期段階においても、その反発力がボールを順方向に回転させる力になる。
このように上記初期段階でもボールを順方向に回転させられるので、ボールの戻り方向を安定させることができる。したがって、パットの練習をする者は、パットの姿勢を保った位置からほとんど動くことなく、繰り返しパットの練習をすることができる。
【００１１】
第２の発明によれば、上記一対のゲート部の間隔が、ゴルフのグリーン上に設けられるカップの直径と等しくしているので、グリーン上のカップを想定して実践的な練習をすることができる。
【００１２】
第３の発明によれば、転がり面にある上記ボールに対して、上記コイルバネの軸中心が、転がり面にあるボールの直径の６０％以上を保つので、どのような場合でも、コイルバネの反発力を、ボールに対して順回転の力として作用させることができる。
また、転がり面にある上記ボールに対して、上記コイルバネの軸中心が、転がり面にあるボールの直径の８０％以下を保つので、ボールがこのコイルバネをくぐり抜けたりしない。
【００１３】
第４の発明によれば、コイルバネの高さ位置を調整できるので、例えば、ボールを戻す距離が相対的に長いときには、なるべく上記６０％に近い高さ位置に設定する。６０％に近い位置とは、ボールの中心に近い位置なので、ボールに作用するコイルバネの反発力を強くできる。したがって、ボールは遠くまで戻ることになる。
しかし、戻す距離よりも、戻る方向性を重視するときには、コイルバネの高さ位置を上記８０％に位置に保つ。このようにコイルバネの高さ位置を上記８０％に近い位置に設定すれば、ボールに作用するコイルバネの反発力が多少弱くなるが、その分、ボールの順方向の回転力を大きくできる。順方向の回転力が大きくなれば、方向性が安定することになる。
【図面の簡単な説明】
【００１４】
【図１】実施形態の斜視図であって、ボールがコイルバネに接触する前の状態の図である。
【図２】実施形態の正面の模式図であって、ボールとコイルバネとが接触した状態の図である。
【図３】実施形態の側面の模式図であって、ボールとコイルバネとが接触した状態の図である。
【発明を実施するための形態】
【００１５】
図示の実施形態は、平面形状をアーチ状にした本体Ａに、一対のゲート部１，１を設けるとともに、このゲート部１，１の間隔を、実際のグリーン上のカップの直径と等しくしている。
また、上記本体Ａには、上記ゲート部１，１に連続するとともに、互いに対向する一対の側面板２，２と、これら側面板２，２間をふさぐ後板３を設けている。
なお、図１において、符号４は本体Ａの強度を維持するためのリブである。
【００１６】
また、上記側面板２，２には、互いに対向する位置に窓孔５，５を形成するとともに、これら窓孔５，５には引掛け片６，６を突出させている。
そして、上記引掛け片６，６間には、断面円形のコイルバネ７を掛け渡しているが、ボールＢがコイルバネ７に到達するためには、上記ゲート部１，１を必ず通り抜けなければならない。
なお、上記側面板２，２及び引掛け片６，６で、この発明の支持部材を構成することになる。
【００１７】
また、ボールＢの転がり面Ｇに対するコイルバネ７の高さ位置を次のように設定している。
すなわち、図２に示すように、転がり面ＧにあるボールＢの中心Ｂｓに対して、上記コイルバネ７の軸中心が、ボールＢの半径よりも高く、直径よりも低い範囲であって、ボールＢがコイルバネ７を通り抜けない高さに設定されている。具体的には、転がり面ＧにあるボールＢの中心Ｂｓに対して、コイルバネ７の軸中心が、ボールＢの直径の６０％〜８０％の高さの範囲内に設定されている。
【００１８】
また、転がり面ＧにあるボールＢの中心Ｂｓに対して、コイルバネ７の軸中心が、ボールＢの直径の６０％〜８０％の高さの範囲内にあれば、コイルバネ７は、どの位置にあってもよいが、コイルバネ７の軸中心がボールＢの中心Ｂｓに近づけば近づくほど、ボールＢに作用するコイルバネ７の反発力が大きくなる。
したがって、ボールＢを遠くまで転がそうとしたときには、コイルバネ７の軸中心をボールＢの中心Ｂｓに近づけるべきである。
【００１９】
一方、コイルバネ７の軸中心がボールＢの中心Ｂｓから遠くなれば、ボールＢに作用するコイルバネ７の反発力が小さくなるが、ボールＢには大きな回転力が作用する。
したがって、ボールＢが戻る距離よりも、戻り方向の正確性を重視するときには、コイルバネ７の軸中心をボールＢの中心Ｂｓよりも遠くに設定すべきである。
【００２０】
いずれにしても、転がり面ＧにあるボールＢの中心Ｂｓに対するコイルバネの高さ位置は、製品の出荷段階で目的に応じて決めることができる。
また、上記コイルバネ７の高さ位置を、ユーザーが自由に調整できるようにしてもよい。ユーザーがコイルバネ７の高さ位置を調整するためには、上記引掛け片６，６を長くして、その引掛け片６，６の長さ範囲で調整するようにすればよい。ただし、その調整機構はこれに限定されるものではない。
【００２１】
次に、本願発明の使用方法と作用について説明する。
一対のゲート部１，１を通り抜けたボールＢはコイルバネ７に当たる。コイルバネ７にボールＢが当たれば、ボールＢの勢いに応じて、コイルバネ７の反発力がボールＢに作用する。このときに、上記したようにコイルバネ７の軸中心が、転がり面ＧにあるボールＢの中心Ｂｓよりも高い位置にあるので、コイルバネ７の上記反発力は、ボールＢを順回転させる力となる。
ボールＢが順回転しながら戻されれば、その戻り方向が不安定にはならない。
戻り方向が安定するので、ユーザーは、立ち位置を移動しなくても、繰り返しパットの練習をすることができる。
【００２２】
なお、上記実施形態では、ゲート部１，１を起立させた状態での使用形態を説明したが、例えば、ゲート部１，１を転がり面Ｇに寝かせて、本体Ａを立たせた状態で使用してもよい。
もちろん、この場合にも、コイルバネ７の、転がり面Ｇからの高さ位置は、すでに説明した条件を満たさなければならない。ただし、本体Ａを図１のように寝かせたり、本体Ａを立たせたりするいずれの場合においても、転がり面Ｇからのコイルバネ７の高さ位置を、上記した条件の通りに設定することは可能である。
【産業上の利用可能性】
【００２３】
打ち終わったボールを取りに行かなくても繰り返し練習ができる練習器として有用である。
【符号の説明】
【００２４】
Ｂ  ボール、  Ｂｓ  ボールの中心  Ａ  本体、  １  ゲート部  、  ７  コイルバネ  、  Ｇ  転がり面
【図１】
2017131268.tif 000003
【図２】
2017131268.tif 000004
【図３】
2017131268.tif 000005